(57)【要約】      （修正有）【課題】高速端子セットの差分抵抗が低減され、内部の信号伝送にエラーコードが発生するのを防止できるユニバーサル・シリアル・バス・コネクタを提供する。【解決手段】ユニバーサル・シリアル・バス・コネクタは、絶縁本体、絶縁本体に係合される嵌止体、嵌止体に嵌合される高速端子セット及び低速端子セットを包含する。高速端子セットは一対の出力端子、一対の入力端子、及び出力端子と入力端子の間に位置する接地端子を包含する。出力端子、入力端子及び接地端子はいずれも第１固定部を具え、第１固定部の前端が折り曲げられ延伸されて折り曲げ部が形成され、折り曲げ部末端が続いて前向きに延伸されて接触部が形成され、第１固定部後端が垂直に折り曲げられ延伸されて第１ソルダー部が形成され、各出力端子と入力端子の第１ソルダー部にいずれも別の出力端子と入力端子の第１ソルダー部に向けて突出する凸板が形成される。【選択図】図２
0003160781.tif 000002
【実用新案登録請求の範囲】
【請求項１】
ユニバーサル・シリアル・バス・コネクタにおいて、
絶縁本体と、
該絶縁本体に嵌合固定される嵌止体と、
高速端子セットであって、該高速端子セットは該嵌止体に嵌合され、一対の出力端子、一対の入力端子、及び出力端子と入力端子の間に位置する接地端子を包含し、該出力端子、該入力端子及び該接地端子がいずれも長板状の第１固定部を具え、該第１固定部の前端が折り曲げられ延伸されて折り曲げ部が形成され、該折り曲げ部末端が続いて前向きに延伸されて接触部が形成され、該第１固定部後端が垂直に折り曲げられ延伸されて第１ソルダー部が形成され、各出力端子と入力端子の第１ソルダー部にいずれも別の出力端子と入力端子の第１ソルダー部に向けて突出する凸板が形成されている、上記高速端子セットと、
該嵌止体に取付けられた低速端子セットと、
を包含することを特徴とする、ユニバーサル・シリアル・バス・コネクタ。
【請求項２】
請求項１記載のユニバーサル・シリアル・バス・コネクタにおいて、該嵌止体に嵌め止めされ且つ該絶縁本体に固定された位置決め体を更に包含し、該位置決め体は該高速端子セットと該低速端子セットを位置決めすることを特徴とする、ユニバーサル・シリアル・バス・コネクタ。
【請求項３】
請求項２記載のユニバーサル・シリアル・バス・コネクタにおいて、該嵌止体は端子板と該端子板の末端より縦に下向きに延伸形成された嵌止部を包含し、該嵌止部の下表面の中部に外向きに突出するように突出ブロックが形成され、該嵌止部の下表面の該突出ブロックの両側にそれぞれ下向きに嵌め溝が開設され、該嵌め溝の外側溝壁に横向きの上斜突起が突伸形成され、該位置決め体は位置決め部と該位置決め部前端中部に接続された嵌め部を包含し、該嵌め部の中部に上下に該嵌め部を貫通する溝が開設され、該嵌め部の両側に嵌合アームが設けられ、該嵌合アームの下端外側に、外側表面が上向きに傾斜する嵌合部が設けられ、該嵌合部が該嵌め溝内に嵌め込まれ、該突出ブロックが該溝内に嵌め込まれることを特徴とする、ユニバーサル・シリアル・バス・コネクタ。
【請求項４】
請求項３記載のユニバーサル・シリアル・バス・コネクタにおいて、該絶縁本体は載置板体と該載置板体の後端上下より突伸するように形成された支持体を包含し、該載置板体の下表面前端に載置部が設けられ、該載置部に複数の載置溝が開設され、該端子板の上表面に第１端子溝が設けられ、該第１固定部が該第１端子溝内に嵌め込まれ、該折り曲げ部が該嵌止体の前端面に嵌合し、該接触部が該載置溝内に収容されることを特徴とする、ユニバーサル・シリアル・バス・コネクタ。
【請求項５】
請求項４記載のユニバーサル・シリアル・バス・コネクタにおいて、該載置板体の下表面に、該載置部に延伸された収容溝が開設され、該載置溝の間に嵌止ストリップが後ろ向きに該載置部よりも突出するように延伸され、該支持体の後部に設置溝が開設され、該端子板の前端面下端に複数の嵌止溝が開設され、嵌止ストリップが該嵌止溝に嵌め込まれ、該端子板が該収容溝に挿入され、該位置決め体が設置溝内に収容されることを特徴とする、ユニバーサル・シリアル・バス・コネクタ。
【請求項６】
請求項３記載のユニバーサル・シリアル・バス・コネクタにおいて、該端子板の下表面に複数の第２端子溝が開設され、該第２端子溝の前端が続いて上向きに凹んで凹溝が形成され、該低速端子セットが該第２端子溝内に取付けられたことを特徴とする、ユニバーサル・シリアル・バス・コネクタ。
【考案の詳細な説明】
【技術分野】
【０００１】
本考案は一種のコネクタに係り、更に詳しくは、電子機器の間のユニバーサル・シリアル・バス・コネクタに関する。
【背景技術】
【０００２】
電子製品の不断の発展に伴い、各種の電子製品の間及びその周辺装置の間の接続はますます頻繁になっている。電子製品とその周辺装置の間をユニバーサル・シリアル・バス（USB）コネクタで接続するのは一般的な接続方式であり、これによりユニバーサル・シリアル・バス・コネクタの使用頻度も増加している。ユニバーサル・シリアル・バス・コネクタ３．０は４．８Ｇｂｐｓのデータ伝送速度を達成し、且つユニバーサル・シリアル・バス・コネクタ２．０と同じ構造を採用しているので、それまでのプラグアンドプレイユニバーサル・シリアル・バス・コネクタバージョンと相容し、ユニバーサル・シリアル・バス・コネクタ２．０或いはユニバーサル・シリアル・バス・コネクタ１．１設備のいずれを使用しても、ユニバーサル・シリアル・バス・コネクタ３．０インタフェースの設備と兼用できる。ユニバーサル・シリアル・バス・コネクタ３．０は高速伝送を実現する高速端子セットとユニバーサル・シリアル・バス・コネクタ２．０と相容する低速端子セットを具えている。
【考案の概要】
【考案が解決しようとする課題】
【０００３】
しかし、動作時に、ユニバーサル・シリアル・バス・コネクタ３．０の狭い空間内により多くの端子を取り付けることは内部の電磁干渉を引き起し、ユニバーサル・シリアル・バス・コネクタ３．０の差分抵抗に影響を与える。このため、各メーカーは各種の方法によりユニバーサル・シリアル・バス・コネクタ及び高速端子セット中の各端子の構造を改善し、有効に高速端子セットの差分抵抗を低減し、それによりユニバーサル・シリアル・バス・コネクタ内部の信号伝送にエラーが発生するのを防止できるように工夫している。
【０００４】
本考案の目的は、上述の問題に対し、差分抵抗を効果的に低減したユニバーサル・シリアル・バス・コネクタを提供することにある。
【課題を解決するための手段】
【０００５】
本考案のユニバーサル・シリアル・バス・コネクタは、絶縁本体、絶縁本体に係合される嵌止体、嵌止体に嵌合される高速端子セット及び低速端子セットを包含する。高速端子セットは一対の出力端子、一対の入力端子、及び出力端子と入力端子の間に位置する接地端子を包含する。出力端子、入力端子及び接地端子はいずれも第１固定部を具え、第１固定部の前端が折り曲げられ延伸されて折り曲げ部が形成され、折り曲げ部末端が続いて前向きに延伸されて接触部が形成され、第１固定部後端が垂直に折り曲げられ延伸されて第１ソルダー部が形成され、各出力端子と入力端子の第１ソルダー部にいずれも別の出力端子と入力端子の第１ソルダー部に向けて突出する凸板が形成されている。
【考案の効果】
【０００６】
本考案のユニバーサル・シリアル・バス・コネクタは、通電使用中に、高速端子セット中の両側に位置する一対の出力端子と一対の入力端子の凸板の構造設計により、効果的に高速端子セットの差分抵抗が低減され、これによりユニバーサル・シリアル・バス・コネクタ内部の信号伝送にエラーコードが発生するのを防止できる。
【図面の簡単な説明】
【０００７】
【図１】本考案のユニバーサル・シリアル・バス・コネクタの実施例の立体図である。
【図２】本考案のユニバーサル・シリアル・バス・コネクタの実施例の立体分解図である。
【図３】図１に示されるユニバーサル・シリアル・バス・コネクタの絶縁本体の立体図である。
【図４】図１に示されるユニバーサル・シリアル・バス・コネクタの嵌止体の立体図である。
【図５】図１に示されるユニバーサル・シリアル・バス・コネクタの位置決め体の立体図である。
【図６】図１に示されるユニバーサル・シリアル・バス・コネクタの高速端子セットの立体図である。
【考案を実施するための形態】
【０００８】
以下に本考案の技術内容、構造特徴、その実現する目的及び効果について、詳細な実施例と図面を組み合わせて説明する。
【０００９】
図１を参照されたい。本考案のユニバーサル・シリアル・バス・コネクタは、絶縁本体５０、絶縁本体５０に係合される嵌止体１０、高速端子セット２０、低速端子セット３０及び位置決め体４０を包含する。高速端子セット２０と低速端子セット３０は嵌止体１０に嵌合され、位置決め体４０は高速端子セット２０と低速端子セット３０を位置決めし並びに嵌止体１０に係止され、嵌止体１０、高速端子セット２０、低速端子セット３０及び位置決め体４０が一体に絶縁本体５０に固定される。
【００１０】
具体的には、図２及び図３に示されるように、絶縁本体５０は載置板体５１及び載置板体５１の後端の上下より突伸するよう形成された支持体５２を包含する。載置板体５１の下表面前端に載置部５１１が設けられ、載置部５１１に複数の載置溝５１２が開設され、載置溝５１２の間に突伸する嵌止ストリップ５１３が形成され、且つ嵌止ストリップ５１３は後ろ向きに載置部５１１よりも突出するように延伸されている。載置板体５１の下表面に、載置部５１１へと延伸された収容溝５１４が開設され、収容溝５１４内に、複数の、前後に延伸されたパッドブロック５１５が凸設されている。支持体５２の後部に設置溝５２１が開設され、設置溝５２１の両側溝壁上部に嵌め孔５２２が開設され、設置溝５２１の両側溝壁下部に支持体５２の後表面に延伸された嵌止溝５２３が開設されている。
【００１１】
図２及び図４を参照されたい。嵌止体１０は嵌止部１１と端子板１２を包含し、嵌止部１１は端子板１２の末端より縦に下向きに延伸されて形成される。嵌止部１１の両側表面にそれぞれ外向きに突伸する嵌合突起１１１が設けられ、嵌止部１１の下表面の中部に外向きに突伸する突出ブロック１１２が形成され、嵌止部１１の下表面の突出ブロック１１２の両側に下向きに嵌め溝１１３が開設され、嵌め溝１１３の外側溝壁に横向きの上斜突起１１４が設けられている。端子板１２の上表面に前後に延伸されたリブ１２３が設けられ、各二つの隣り合うリブ１２３の下部に、前後にリブ１２３を貫通する第１端子溝１２１が開設されている。端子板１２の前端面下端にリブ１２３に対応して複数の嵌止溝１２４が開設されている。端子板１２の下表面に、横向きに端子板１２を貫通する複数の第２端子溝１２２が開設され、第２端子溝１２２の前端に続いて上向きに凹む凹溝１２２１が形成されている。
【００１２】
図２及び図６を参照されたい。高速端子セット２０は嵌止体１０に嵌合され、一対の出力端子（図示せず）、一対の入力端子（図示せず）、及び出力端子と入力端子の間に位置する一つの接地端子を包含する。出力端子、入力端子及び接地端子はいずれも長板状の第１固定部２１を具え、第１固定部２１の前端が折り曲げられて延伸されて折り曲げ部２２が形成され、折り曲げ部２２の末端が続いて前向きに延伸されて接触部２３が形成され、第１固定部２１の後端が垂直に折り曲げられて延伸されて第１ソルダー部２４が形成されている。そのうち、各出力端子と入力端子の第１ソルダー部２４より別の出力端子と入力端子の第１ソルダー部２４に向けて凸板２４１が突伸形成されている。
【００１３】
図２を参照されたい。低速端子セット３０は四つの第２端子を包含し、各第２端子は第２固定部３１、連接部３２及び第２ソルダー部３３を包含し、且つ連接部３２は第２固定部３１に対して下向きに突出する。第２固定部３１と連接部３２は端子板１２の下表面の第２端子溝１２２内に固着され、且つ連接部３２は下向きに端子板１２の下表面より突出し、これにより外部コネクタの連接端子との接続に便利とされている。連接部３２の前端は押圧される時に凹溝１２２１中に進入する。
【００１４】
図２及び図５を参照されたい。位置決め体４０は位置決め部４１と位置決め部４１前端中部に接続された嵌め部４２を包含する。位置決め部４１には前後２列に平行に配列された位置決め溝４１１が開設され、且つ位置決め溝４１１は上下に位置決め部４１を貫通し、位置決め部４１の両側表面に、前後に延伸された下斜突起４１２が設けられている。嵌め部４２の中部に上下に嵌め部４２を貫通する溝４２１が開設され、嵌め部４２の両側に嵌合アーム４２２が設けられ、嵌合アーム４２２の下端外側に外側表面が上向きに傾斜する嵌合部４２３が設けられている。
【００１５】
図２を参照されたい。本考案のユニバーサル・シリアル・バス・コネクタはさらに金属ケース６０を包含し、金属ケース６０は絶縁本体５０、嵌止体１０及び位置決め体４０を被覆する。金属ケース６０の一端には開口が開設され、開口６１と絶縁本体５０の載置部５１１はいずれも金属ケース６０の同一端に位置し、これにより接触部２３と連接部３２がいずれも開口６１と同一側に位置し、外部のコネクタが該開口６１をとおりユニバーサル・シリアル・バス・コネクタと接続されるのに便利である。金属ケース６０の上表面と両側面に、内向きに突出する係止舌部６２が設けられ、係止舌部６２は絶縁本体５０の嵌め孔５２２と支持体５２上部前端とに係合し、これにより、絶縁本体５０と金属ケース６０が緊密に接合される。金属ケース６０は部品を被覆して外界から保護して損傷を防止するのみならず、外部電場の高速端子セット２０と低速端子セット３０に対する静電影響を遮蔽する。
【００１６】
以下に、図２から図６を組み合わせて本考案のユニバーサル・シリアル・バス・コネクタの組立過程について説明する。まず、低速端子セット３０を取付ける。すなわち、第２固定部３１と連接部３２を端子板１２の第２端子溝１２２内に嵌め込み、且つ連接部３２を下向きに第２端子溝１２２より突出させる。その後、高速端子セット２０を取り付ける。すなわち、第１固定部２１を端子板１２の第１端子溝１２１内に嵌め込み、折り曲げ部２２を嵌止体１０の前端面に係合する。さらに、位置決め体４０を取り付ける。すなわち、第２ソルダー部３３と第１ソルダー部２４をそれぞれ位置決め体４０の前後２列の位置決め溝４１１に通し、上向きに押し上げて、嵌合アーム４２２を弾性変形させ、嵌合部４２３に上斜突起１１４の上を滑らせて嵌め溝１１３内に嵌め込み、突出ブロック１１２を溝４２１内に嵌め込む。
【００１７】
さらに、高速端子セット２０と低速端子セット３０を取り付けた嵌止体１０と位置決め体４０を絶縁本体５０に取り付ける。すなわち、嵌止体１０の端子板１２を絶縁本体５０の後端より絶縁本体５０の収容溝５１４に挿入し、位置決め体４０を設置溝４２１内に設置し、パッドブロック５１５部分を第１端子溝１２１内に進入させて第１端子を挟持し、接触部２３を載置溝５１２内に収容し、嵌止ストリップ５１３を嵌止溝１２４に嵌め込み、これにより嵌止体１０前端を固定し、嵌合突起１１１を嵌め孔５２２内に嵌め込み、これにより嵌止体１０後端を固定し、下斜突起４１２を嵌止溝５２３内に嵌め込む。最後に、絶縁本体５０を金属ケース６０で被覆するとともに、係止舌部６２を絶縁本体５０の嵌め孔５２２と支持体５２上部前端と嵌合させる。こうして、本考案のユニバーサル・シリアル・バス・コネクタの組立が完成し、外部コネクタを開口６１を通してユニバーサル・シリアル・バス・コネクタと接続することができ、ユニバーサル・シリアル・バス・コネクタの機能を実現できる。
【００１８】
上述したように、本考案のユニバーサル・シリアル・バス・コネクタは通電使用過程中に、高速端子セット２０の出力端子と入力端子の凸板２４１の構造設計により、低速端子セット２０の差分抵抗を効果的に低減し、これによりユニバーサル・シリアル・バス・コネクタ内部の信号伝送を順調にし、ユニバーサル・シリアル・バス・コネクタ内部の信号伝送にエラーコードが発生するのを防止する。
【符号の説明】
【００１９】
１０  嵌止体                  １１  嵌止部
１１１  嵌合突起              １１２  突出ブロック
１１３  嵌め溝                １１４  上斜突起
１２  端子板                  １２１  第１端子溝
１２２  第２端子溝            １２２１  凹溝
１２３  リブ                  １２４  嵌止溝
２０  高速端子セット          ２１  第１固定部
２２  折り曲げ部              ２３  接触部
２４  第１ソルダー部          ２４１  凸板
３０  低速端子セット          ３１  第２固定部
３２  連接部                  ３３  第２ソルダー部
４０  位置決め体              ４１  位置決め部
４１１  位置決め溝            ４１２  下斜突起
４２  嵌め部                  ４２１  溝
４２２  嵌合アーム            ４２３  嵌合部
５０  絶縁本体                ５１  載置板体
５１１  載置部                ５１２  載置溝
５１３  嵌止ストリップ        ５１４  収容溝
５１５  パッドブロック        ５２  支持体
５２１  設置溝                ５２２  嵌め孔
５２３  嵌止溝                ６０  金属ケース
６１  開口                    ６２  係止舌部
【図１】
0003160781.tif 000003
【図２】
0003160781.tif 000004
【図３】
0003160781.tif 000005
【図４】
0003160781.tif 000006
【図５】
0003160781.tif 000007
【図６】
0003160781.tif 000008